(57)【要約】【課題】システムコストの低減化を図ることができると共に、他の画像読取記録装置を簡単に遠隔起動可能な画像読取記録装置、画像記録装置を簡単に遠隔起動可能な画像読取装置、及び画像読取装置を簡単に遠隔起動可能な画像記録装置を提供する。【解決手段】ＬＡＮ２１に接続された少なくとも１つの他の画像読取記録装置３１を遠隔起動する画像読取記録装置１であって、他の画像読取記録装置３１のＭＡＣアドレスを記憶する記憶手段と、自装置１の電源を投入する投入手段と、自装置１の電源が投入された場合に、記憶されたＭＡＣアドレスを読み出す読出手段と、読み出されたＭＡＣアドレスに基づいて起動パケットを生成する生成手段と、生成された起動パケットを、読み出されたＭＡＣアドレスにＬＡＮ２１経由で送信する送信手段と、を備えた。【選択図】図３
2008048241.tif 000002
【特許請求の範囲】
【請求項１】
ＬＡＮに接続された少なくとも１つの他の画像読取記録装置を遠隔起動する画像読取記録装置であって、
前記他の画像読取記録装置のＭＡＣアドレスを記憶する記憶手段と、
自装置の電源を投入する投入手段と、
自装置の電源が投入された場合に、記憶されたＭＡＣアドレスを読み出す読出手段と、
読み出されたＭＡＣアドレスに基づいて起動パケットを生成する生成手段と、
生成された起動パケットを、読み出されたＭＡＣアドレスにＬＡＮ経由で送信する送信手段と、
を備えたことを特徴とする画像読取記録装置。
【請求項２】
前記記憶手段が、前記ＭＡＣアドレスを前記他の画像読取記録装置の機器情報と対応付けて記憶する請求項１記載の画像読取記録装置。
【請求項３】
ＬＡＮに接続された少なくとも１つの画像記録装置を遠隔起動する画像読取装置であって、
前記画像記録装置のＭＡＣアドレスを記憶する記憶手段と、
自装置の電源を投入する投入手段と、
自装置の電源が投入された場合に、記憶されたＭＡＣアドレスを読み出す読出手段と、
読み出されたＭＡＣアドレスに基づいて起動パケットを生成する生成手段と、
生成された起動パケットを、読み出されたＭＡＣアドレスにＬＡＮ経由で送信する送信手段と、
を備えたことを特徴とする画像読取装置。
【請求項４】
前記記憶手段が、前記ＭＡＣアドレスを前記画像記録装置の機器情報と対応付けて記憶する請求項３記載の画像読取装置。
【請求項５】
ＬＡＮに接続された少なくとも１つの画像読取装置を遠隔起動する画像記録装置であって、
前記画像読取装置のＭＡＣアドレスを記憶する記憶手段と、
自装置の電源を投入する投入手段と、
自装置の電源が投入された場合に、記憶されたＭＡＣアドレスを読み出す読出手段と、
読み出されたＭＡＣアドレスに基づいて起動パケットを生成する生成手段と、
生成された起動パケットを、読み出されたＭＡＣアドレスにＬＡＮ経由で送信する送信手段と、
を備えたことを特徴とする画像記録装置。
【請求項６】
前記記憶手段が、前記ＭＡＣアドレスを前記画像読取装置の機器情報と対応付けて記憶する請求項５記載の画像記録装置。
【発明の詳細な説明】
【技術分野】
【０００１】
本発明は、ＬＡＮ（local area network、構内情報通信網）に接続された他の画像読取記録装置を遠隔起動可能な画像読取記録装置、ＬＡＮに接続された画像記録装置を遠隔起動可能な画像読取装置、及びＬＡＮに接続された画像読取装置を遠隔起動可能な画像記録装置に関するものである。
【背景技術】
【０００２】
従来のこの種の技術としては、ＬＡＮに接続されたコンピュータからＬＡＮ経由で他のコンピュータを起動するWake On LANが知られている（例えば、非特許文献１参照）。
【非特許文献１】中塚  寛幸、“Wake On LANでコンピュータを起動する”、［online］、２００６年２月２５日、＠ＩＴ（アットマーク・アイティ）、［２００６年７月２５日検索］、インターネット〈URL：http://www.atmarkit.co.jp/fwin2k/win2ktips/715wol/wol.html〉
【発明の開示】
【発明が解決しようとする課題】
【０００３】
ここで、画像読取記録装置の電源を投入する場合は、離れた位置にある他の画像読取記録装置の電源も投入したいとの要望がある。画像読取装置の電源を投入する場合は、離れた位置にある画像記録装置の電源も投入したいとの要望がある。画像記録装置の電源を投入する場合は、離れた位置にある画像記録装置の電源も投入したいとの要望がある。そこで、上記のようなWake On LANを利用したとすれば、ＬＡＮに接続されたＰＣ（パーソナルコンピュータ）からＬＡＮ経由で画像読取記録装置、画像記録装置、又は画像読取装置を起動できるとも考えられる。
【０００４】
しかし、ＬＡＮ上にＰＣを別途設ける必要があるので、システムコストが高くなるという問題点がある。また、ＬＡＮ経由で画像読取記録装置、画像記録装置、又は画像読取装置を起動する際に、ユーザがＰＣを操作する必要があるので、煩雑であるという問題点がある。
【０００５】
本発明は、以上のような問題点に鑑みてなされたものであり、システムコストの低減化を図ることができると共に、他の画像読取記録装置を簡単に遠隔起動可能な画像読取記録装置、画像記録装置を簡単に遠隔起動可能な画像読取装置、及び画像読取装置を簡単に遠隔起動可能な画像記録装置を提供することを目的とする。
【課題を解決するための手段】
【０００６】
上記目的を達成するための請求項１の画像読取記録装置は、ＬＡＮに接続された少なくとも１つの他の画像読取記録装置を遠隔起動する画像読取記録装置であって、前記他の画像読取記録装置のＭＡＣアドレスを記憶する記憶手段と、自装置の電源を投入する投入手段と、自装置の電源が投入された場合に、記憶されたＭＡＣアドレスを読み出す読出手段と、読み出されたＭＡＣアドレスに基づいて起動パケットを生成する生成手段と、生成された起動パケットを、読み出されたＭＡＣアドレスにＬＡＮ経由で送信する送信手段と、を備えたものである。
【０００７】
請求項２の画像読取記録装置は、前記記憶手段が、前記ＭＡＣアドレスを前記他の画像読取記録装置の機器情報と対応付けて記憶するものである。
【０００８】
また、請求項３の画像読取装置は、ＬＡＮに接続された少なくとも１つの画像記録装置を遠隔起動する画像読取装置であって、前記画像記録装置のＭＡＣアドレスを記憶する記憶手段と、自装置の電源を投入する投入手段と、自装置の電源が投入された場合に、記憶されたＭＡＣアドレスを読み出す読出手段と、読み出されたＭＡＣアドレスに基づいて起動パケットを生成する生成手段と、生成された起動パケットを、読み出されたＭＡＣアドレスにＬＡＮ経由で送信する送信手段と、を備えたものである。
【０００９】
請求項４の画像読取装置は、前記記憶手段が、前記ＭＡＣアドレスを前記画像記録装置の機器情報と対応付けて記憶するものである。
【００１０】
更に、請求項５の画像記録装置は、ＬＡＮに接続された少なくとも１つの画像読取装置を遠隔起動する画像記録装置であって、前記画像読取装置のＭＡＣアドレスを記憶する記憶手段と、自装置の電源を投入する投入手段と、自装置の電源が投入された場合に、記憶されたＭＡＣアドレスを読み出す読出手段と、読み出されたＭＡＣアドレスに基づいて起動パケットを生成する生成手段と、生成された起動パケットを、読み出されたＭＡＣアドレスにＬＡＮ経由で送信する送信手段と、を備えたものである。
【００１１】
請求項６の画像記録装置は、前記記憶手段が、前記ＭＡＣアドレスを前記画像読取装置の機器情報と対応付けて記憶するものである。
【発明の効果】
【００１２】
請求項１、３、５の発明によれば、他の画像読取記録装置、画像記録装置、又は画像読取装置を遠隔起動するためのＰＣが不要であるので、システムコストの低減化を図ることができる。また、自装置の電源を投入するだけでよいので、他の画像読取記録装置、画像記録装置、又は画像読取装置を簡単に遠隔起動することができる。
【００１３】
請求項２、４、６の発明によれば、ＭＡＣアドレスと共に機器情報を参照可能にすることもできる。
【発明を実施するための最良の形態】
【００１４】
以下、本発明の実施形態を図面に基づいて説明する。
第１実施形態に係る画像読取記録装置１は、図１に示すように、主な構成要素として、制御部２、フラッシュメモリ３、ＲＡＭ（random access memory、随時書き込み読み出しメモリ）４、画像メモリ５、コーデック（ＣＯＤＥＣ）６、モデム７、ＮＣＵ（network control unit、回線網制御装置）８、表示部９、操作部１０、読取部１１、記録部１２、及びＬＡＮインターフェース（ＬＡＮ Ｉ／Ｆ）１３を備えたものであり、各構成要素はバス１４を介して互いに通信可能に接続されている。
【００１５】
ＬＡＮインターフェース１３は、ＬＡＮ２１に接続されている。ＬＡＮインターフェース１３及びＬＡＮ２１は、インターネット２２に接続されている。ＬＡＮ２１には、画像読取記録装置１と同様に構成された例えば２つの他の画像読取記録装置３１が接続されている。なお、ＬＡＮ２１上の他の画像読取記録装置３１の数は、２つに限定されるものではなく、１つ又は３つ以上であってもよい。
【００１６】
フラッシュメモリ３は、各構成要素の動作を制御するための制御プログラムの他、図２のようなＭＡＣ（media access control）アドレスデータテーブル等を記憶している。記憶手段は、フラッシュメモリ３の他、ＨＤＤ（ハードディスクドライブ）、ＲＯＭ（read only memory、読み出し専用メモリ）等であってもよい。
【００１７】
ＭＡＣアドレスデータテーブルは、図２に示すように、他の画像読取記録装置３１の機器情報とＭＡＣアドレスとを対応付けたものである。機器情報としては、機器名称、設置場所、オプション構成等が挙げられる。ここでいう他の画像読取記録装置３１のＭＡＣアドレスとは、他の画像読取記録装置３１に設けられたＬＡＮインターフェース１３のＭＡＣアドレスを意味する。
【００１８】
制御部２は、ＣＰＵ（central processing unit、中央処理装置）等で構成されており、図１に示すフラッシュメモリ３上の制御プログラム等に従って各構成要素の動作を制御する。ＲＡＭ４は、画像読取記録装置１に関する各種の情報を一時的に記憶する。
【００１９】
読取部１１は、原稿の画像を画像データとして読み取る。画像メモリ５は、読み取られた画像データを一時的に記憶する。記録部１２は、記憶された画像データ等を電子写真方式等により記録用紙に記録（印刷）する。このように、画像読取記録装置１は、原稿の画像を読み取る読取手段、読み取られた画像を記憶する記憶手段、及び記憶された画像を記録用紙に記録する記録手段も備えている。
【００２０】
表示部９は、操作部１０等に併設されたＬＣＤ（liquid crystal display、液晶ディスプレイ）等で構成されており、各種の情報を表示する。操作部１０は、各種の操作をするための操作キー等を備えている。画像読取記録装置１に対するユーザによる各種の操作は、この操作部１０を通じて行われる。なお、表示部９をタッチパネルとしておき、このタッチパネルとしての表示部９が操作部１０としても機能するように構成してもよい。
【００２１】
コーデック６は、読み取られた画像データを送信等のためにＭＨ（modified huffman）方式、ＭＲ（modified read）方式、ＭＭＲ（modified modified read）方式等により符号化したり、受信した画像データを復号化したりする。
【００２２】
モデム７は、ＩＴＵ−Ｔ（国際電気通信連合−電気通信標準化部門）の勧告Ｖ．３４規格等に従った送信データの変調及び受信データの復調を行う。ＮＣＵ８は、ＰＳＴＮ（public switched telephone network、公衆電話交換網）２３に接続されており、電話回線を制御して電話をかけたり切ったりする。
【００２３】
上記のように構成された画像読取記録装置１や他の画像読取記録装置３１は、コピー機の他、ファクス通信機、インターネットファクス通信機、ネットワークプリンタ、ネットワークスキャナ等として機能する複合機である。なお、画像読取記録装置１や他の画像読取記録装置３１は、複合機でなくてもよく、少なくともコピー機として機能するものであればよい。
【００２４】
次に、他の画像読取記録装置３１に対する遠隔起動処理例を図３に示すフローチャートに基づいて説明する。なお、この処理は、フラッシュメモリ３上の制御プログラム等に基づいて制御部２が発行する命令に従って行われる。
【００２５】
この処理において、操作部１０により自装置（画像読取記録装置１）の電源が投入された場合は、自装置の起動処理が開始される（ステップＳ１）。次いで、フラッシュメモリ３上のＭＡＣアドレスが読み出されれば（ステップＳ２）、読み出されたＭＡＣアドレスに基づいて起動パケットが生成される（ステップＳ３）。生成された起動パケットは、読み出されたＭＡＣアドレスにＬＡＮ２１経由で送信される（ステップＳ４）。
【００２６】
他の画像読取記録装置３１が起動パケットを受信した場合は、その画像読取記録装置３１の電源が投入される。なお、他の画像読取記録装置３１は、起動パケットを受信する受信手段と、起動パケットを受信した場合に自装置（他の画像読取記録装置３１）の電源を投入する投入手段とを備えている。起動パケットの形式としては、Magic Packet方式等が挙げられる。
【００２７】
そして、他のＭＡＣアドレスがある場合は（ステップＳ５でＹＥＳ）、ステップＳ２に戻る。一方、他のＭＡＣアドレスがない場合は（ステップＳ５でＮＯ）、処理が終了する。
【００２８】
上記のように構成された画像読取記録装置１によれば、他の画像読取記録装置３１を遠隔起動するためのＰＣが不要であるので、システムコストの低減化を図ることができるという利点がある。また、自装置の電源を投入するだけでよいので、他の画像読取記録装置３１を簡単に遠隔起動できるという利点がある。
【００２９】
次に、ＭＡＣアドレスの登録処理例を図４に示すフローチャートに基づいて説明する。なお、この処理は、フラッシュメモリ３上の制御プログラム等に基づいて制御部２が発行する命令に従って行われる。
【００３０】
この処理においては、まず、操作部１０により機器情報及びＭＡＣアドレスが入力される（ステップＳ２１）。そして、操作部１０により登録継続の操作がされた場合は（ステップＳ２２でＮＯ）、ステップＳ２１に戻る。一方、操作部１０により登録終了の操作がされた場合は（ステップＳ２２でＹＥＳ）、入力された機器情報及びＭＡＣアドレスが図２のようなＭＡＣアドレスデータテーブルに登録され（ステップＳ２３）、処理が終了する。このように、ＭＡＣアドレスを他の画像読取記録装置３１の機器情報と対応付けて記憶するようにしておけば、ＭＡＣアドレスと共に機器情報を参照可能にすることもできるという利点がある。
【００３１】
第２実施形態に係る画像読取装置４１は、図５に示すように、主な構成要素として、それぞれ第１実施形態と同様に構成された制御部２、フラッシュメモリ３、ＲＡＭ４、画像メモリ５、コーデック６、操作部１０、読取部１１、及びＬＡＮインターフェース１３を備えたものであり、各構成要素はバス１４を介して互いに通信可能に接続されている。
【００３２】
ＬＡＮインターフェース１３は、ＬＡＮ２１に接続されている。ＬＡＮ２１には、例えば２つの画像記録装置５１が接続されている。なお、ＬＡＮ２１上の画像記録装置５１の数は、２つに限定されるものではなく、１つ又は３つ以上であってもよい。
【００３３】
フラッシュメモリ３は、各構成要素の動作を制御するための制御プログラムの他、第１実施形態とほぼ同様のＭＡＣアドレスデータテーブル等を記憶している。記憶手段は、フラッシュメモリ３の他、ＲＯＭ等であってもよい。
【００３４】
ＭＡＣアドレスデータテーブルは、画像記録装置５１の機器情報とＭＡＣアドレスとを対応付けたものである。ここでいう画像記録装置５１のＭＡＣアドレスとは、画像記録装置５１に設けられたＬＡＮインターフェース１３のＭＡＣアドレスを意味する。
【００３５】
制御部２は、ＣＰＵ等で構成されており、フラッシュメモリ３上の制御プログラム等に従って各構成要素の動作を制御する。ＲＡＭ４は、画像読取装置４１に関する各種の情報を一時的に記憶する。
【００３６】
読取部１１は、原稿の画像を画像データとして読み取る。画像メモリ５は、読み取られた画像データを一時的に記憶する。コーデック６は、記憶された画像データを送信のために符号化する。操作部１０は、各種の操作をするための操作キー等を備えている。画像読取装置４１に対するユーザによる各種の操作は、この操作部１０を通じて行われる。このように、画像読取装置４１は、原稿の画像を読み取る読取手段、及び読み取られた画像を記憶する記憶手段、及び記憶された画像をＬＡＮ２１経由で画像記録装置５１等に送信する送信手段を備えており、ネットワークスキャナ等として機能する。
【００３７】
次に、画像記録装置５１に対する遠隔起動処理例を図６に示すフローチャートに基づいて説明する。なお、この処理は、フラッシュメモリ３上の制御プログラム等に基づいて制御部２が発行する命令に従って行われる。
【００３８】
第１実施形態と同様、この処理において、操作部１０により自装置（画像読取装置４１）の電源が投入された場合は、自装置の起動処理が開始される（ステップＳ２１）。次いで、フラッシュメモリ３上のＭＡＣアドレスが読み出されれば（ステップＳ２２）、読み出されたＭＡＣアドレスに基づいて起動パケットが生成される（ステップＳ２３）。生成された起動パケットは、読み出されたＭＡＣアドレスにＬＡＮ２１経由で送信される（ステップＳ２４）。
【００３９】
画像記録装置５１が起動パケットを受信した場合は、その画像記録装置５１の電源が投入される。なお、画像記録装置５１は、起動パケットを受信する受信手段と、起動パケットを受信した場合に自装置（画像記録装置５１）の電源を投入する投入手段とを備えている。
【００４０】
そして、他のＭＡＣアドレスがある場合は（ステップＳ２５でＹＥＳ）、ステップＳ２２に戻る。一方、他のＭＡＣアドレスがない場合は（ステップＳ２５でＮＯ）、処理が終了する。
【００４１】
上記のように構成された画像読取装置４１によれば、画像記録装置５１を遠隔起動するためのＰＣが不要であるので、システムコストの低減化を図ることができるという利点がある。また、自装置の電源を投入するだけでよいので、画像記録装置５１を簡単に遠隔起動できるという利点がある。
【００４２】
ここで、ＭＡＣアドレスの登録処理を第１実施形態と同様に行い、ＭＡＣアドレスを画像記録装置５１の機器情報と対応付けて記憶するようにしておけば、ＭＡＣアドレスと共に機器情報を参照可能にすることもできるという利点がある。
【００４３】
第３実施形態に係る画像記録装置５１は、図７に示すように、主な構成要素として、それぞれ第１実施形態と同様に構成された制御部２、フラッシュメモリ３、ＲＡＭ４、画像メモリ５、コーデック６、操作部１０、記録部１２、及びＬＡＮインターフェース１３を備えたものであり、各構成要素はバス１４を介して互いに通信可能に接続されている。
【００４４】
ＬＡＮインターフェース１３は、ＬＡＮ２１に接続されている。ＬＡＮ２１には、第２実施形態と同様に構成された例えば２つの画像読取装置４１が接続されている。なお、ＬＡＮ２１上の画像読取装置４１の数は、２つに限定されるものではなく、１つ又は３つ以上であってもよい。
【００４５】
フラッシュメモリ３は、各構成要素の動作を制御するための制御プログラムの他、第１実施形態とほぼ同様のＭＡＣアドレスデータテーブル等を記憶している。記憶手段は、フラッシュメモリ３の他、ＲＯＭ等であってもよい。
【００４６】
ＭＡＣアドレスデータテーブルは、画像読取装置４１の機器情報とＭＡＣアドレスとを対応付けたものである。ここでいう画像読取装置４１のＭＡＣアドレスとは、画像読取装置４１に設けられたＬＡＮインターフェース１３のＭＡＣアドレスを意味する。
【００４７】
制御部２は、ＣＰＵ等で構成されており、フラッシュメモリ３上の制御プログラム等に従って各構成要素の動作を制御する。ＲＡＭ４は、画像記録装置５１に関する各種の情報を一時的に記憶する。
【００４８】
画像メモリ５は、受信した画像データを一時的に記憶する。コーデック６は、記憶された画像データを印刷のために復号化する。記録部１２は、復号化された画像データを電子写真方式等により記録用紙に記録（印刷）する。操作部１０は、各種の操作をするための操作キー等を備えている。画像記録装置５１に対するユーザによる各種の操作は、この操作部１０を通じて行われる。このように、画像記録装置５１は、画像読取装置４１等からＬＡＮ２１経由で送信された画像を受信する受信手段、受信した画像を記憶する記憶手段、記憶された画像を記録用紙に記録する記録手段を備えており、ネットワークプリンタ等として機能する。
【００４９】
次に、画像読取装置４１に対する遠隔起動処理例を図８に示すフローチャートに基づいて説明する。なお、この処理は、フラッシュメモリ３上の制御プログラム等に基づいて制御部２が発行する命令に従って行われる。
【００５０】
第２実施形態と同様、この処理において、操作部１０により自装置（画像記録装置５１）の電源が投入された場合は、自装置の起動処理が開始される（ステップＳ３１）。次いで、フラッシュメモリ３上のＭＡＣアドレスが読み出されれば（ステップＳ３２）、読み出されたＭＡＣアドレスに基づいて起動パケットが生成される（ステップＳ３３）。生成された起動パケットは、読み出されたＭＡＣアドレスにＬＡＮ２１経由で送信される（ステップＳ３４）。
【００５１】
画像読取装置４１が起動パケットを受信した場合は、その画像読取装置４１の電源が投入される。なお、画像読取装置４１は、起動パケットを受信する受信手段と、起動パケットを受信した場合に自装置（画像読取装置４１）の電源を投入する投入手段とを備えている。
【００５２】
そして、他のＭＡＣアドレスがある場合は（ステップＳ３５でＹＥＳ）、ステップＳ３２に戻る。一方、他のＭＡＣアドレスがない場合は（ステップＳ３５でＮＯ）、処理が終了する。
【００５３】
上記のように構成された画像記録装置５１によれば、画像読取装置４１を遠隔起動するためのＰＣが不要であるので、システムコストの低減化を図ることができるという利点がある。また、自装置の電源を投入するだけでよいので、画像読取装置４１を簡単に遠隔起動できるという利点がある。
【００５４】
ここで、ＭＡＣアドレスの登録処理を第１実施形態と同様に行い、ＭＡＣアドレスを画像読取装置４１の機器情報と対応付けて記憶するようにしておけば、ＭＡＣアドレスと共に機器情報を参照可能にすることもできるという利点がある。
【産業上の利用可能性】
【００５５】
以上のように、本発明に係る画像読取記録装置、画像読取装置、及び画像記録装置は、システムコストの低減化を図ると共に、他の画像読取記録装置、画像記録装置、又は画像読取装置を簡単に遠隔起動する用途に適している。
【図面の簡単な説明】
【００５６】
【図１】第１実施形態に係る画像読取記録装置の構成例を示すブロック図。
【図２】ＭＡＣアドレスデータテーブルの構成例を示す説明図。
【図３】他の画像読取記録装置に対する遠隔起動処理例を示すフローチャート。
【図４】ＭＡＣアドレスの登録処理例を示すフローチャート。
【図５】第２実施形態に係る画像読取装置の構成例を示すブロック図。
【図６】画像記録装置に対する遠隔起動処理例を示すフローチャート。
【図７】第３実施形態に係る画像記録装置の構成例を示すブロック図。
【図８】画像読取装置に対する遠隔起動処理例を示すフローチャート。
【符号の説明】
【００５７】
１  画像読取記録装置
２  制御部
３  フラッシュメモリ
４  ＲＡＭ
５  画像メモリ
６  コーデック
１０  操作部
１１  読取部
１２  記録部
２１  ＬＡＮ
３１  他の画像読取記録装置
４１  画像読取装置
５１  画像記録装置
【図１】
2008048241.tif 000003
【図２】
2008048241.tif 000004
【図３】
2008048241.tif 000005
【図４】
2008048241.tif 000006
【図５】
2008048241.tif 000007
【図６】
2008048241.tif 000008
【図７】
2008048241.tif 000009
【図８】
2008048241.tif 000010